【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によってランダム・アクセス・チャネル（ＲＡＣＨ）手順を実施するための方法であって、
バンドルされた（bundled）ＲＡＣＨシーケンスを送信することと、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）においてＲＡＣＨ応答を受信することと、ここにおいて、前記バンドルされたＰＤＳＣＨは、複数のＴＴＩｓのバンドルに関して送信される、を備える方法。
【請求項２】
前記受信されバンドルされたＰＤＳＣＨに基づいてバンドルされた物理上り共有チャネル（ＰＵＳＣＨ）を送信することをさらに備える、請求項１に記載の方法。
【請求項３】
前記バンドルされたＲＡＣＨシーケンスは前記ＵＥのカバレッジ制限を示す、請求項１に記載の方法。
【請求項４】
前記バンドルされたＲＡＣＨシーケンスは少なくとも１つのリソース・ブロック（ＲＢ）を備える狭帯域送信として送信され、それのロケーションはセルＩＤの関数である、請求項１に記載の方法。
【請求項５】
前記バンドルされたＲＡＣＨシーケンスはセルＩＤの関数である、請求項１に記載の方法。
【請求項６】
同期信号を受信することと、
前記同期信号に基づいて前記ＲＡＣＨ手順を実施するようにウェーク・アップすることと、をさらに備える、請求項１に記載の方法。
【請求項７】
基地局（ＢＳ）によってランダム・アクセス・チャネル（ＲＡＣＨ）手順を実施するための方法であって、
ユーザ機器（ＵＥ）からバンドルされたＲＡＣＨシーケンスを受信することと、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）において前記ＵＥにＲＡＣＨ応答を送信することと、ここにおいて、前記バンドルされたＰＤＳＣＨは、複数のＴＴＩｓのバンドルに関して送信される、を備える方法。
【請求項８】
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、請求項７に記載の方法。
【請求項９】
前記バンドルされたＰＤＳＣＨのサイズは前記バンドルされたＲＡＣＨシーケンスのサイズに基づく、請求項７に記載の方法。
【請求項１０】
バンドルされた物理下り制御チャネル（ＰＤＣＣＨ）を送信することをさらに備え、ここにおいて、前記バンドルされたＰＤＣＣＨは、拡張されたＰＤＣＣＨ（ｅＰＤＣＣＨ）または複数のＴＴＩｓのバンドルに関して送信される、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、請求項７に記載の方法。
【請求項１１】
前記バンドルされたＰＤＳＣＨの変調および符号化スキーム（ＭＣＳ）はシステム情報ブロック（ＳＩＢ）においてシグナリングされる、請求項７に記載の方法。
【請求項１２】
前記バンドルされたＰＤＳＣＨは一組の変調および符号化スキーム（ＭＣＳ）から選択されたＭＣＳを使用して送信され、前記ＵＥはブラインド復号によって前記ＰＤＳＣＨを検出する、請求項７に記載の方法。
【請求項１３】
１つ以上の後続メッセージに関わる割当てを示す第２のバンドルされたＰＤＳＣＨを送信することをさらに備える、請求項７に記載の方法。
【請求項１４】
ユーザ機器（ＵＥ）によってランダム・アクセス・チャネル（ＲＡＣＨ）手順を実施するための装置であって、
バンドルされたＲＡＣＨシーケンスを送信するための手段と、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）においてＲＡＣＨ応答を受信するための手段と、ここにおいて、前記バンドルされたＰＤＳＣＨは、複数のＴＴＩｓのバンドルに関して送信される、を備える装置。
【請求項１５】
基地局（ＢＳ）によってランダム・アクセス・チャネル（ＲＡＣＨ）手順を実施するための装置であって、
ユーザ機器（ＵＥ）からバンドルされたＲＡＣＨシーケンスを受信するための手段と、ここにおいて、前記バンドルされたＲＡＣＨシーケンスは、複数の送信時間間隔（ＴＴＩｓ）のバンドルに関して送信される、
バンドルされた物理下り共有チャネル（ＰＤＳＣＨ）において前記ＵＥにＲＡＣＨ応答を送信するための手段と、ここにおいて、前記バンドルされたＰＤＳＣＨは、複数のＴＴＩｓのバンドルに関して送信される、を備える装置。
【手続補正２】
【補正対象書類名】明細書
【補正対象項目名】００６７
【補正方法】変更
【補正の内容】
【００６７】
[0073]  本開示の前述の説明は、当業者の誰もが本開示を使用および生成することを可能にするために、提供されている。本開示に対するさまざまな変更は、当業者には容易に理解されるものであり、ここに定義される一般的な原則は、本開示の範囲または精神を逸脱することなく、他の変形にも適用され得る。かくして、本開示は、ここに説明されている設計および例に制限されることは意図されておらず、しかし、ここに開示される新規の特徴および原理に一致する最も広い範囲が与えられるべきである。
以下に、本願出願の当初の特許請求の範囲に記載された発明を付記する。
［Ｃ１］
ユーザ機器（ＵＥ）によってランダム・アクセス・チャネル（ＲＡＣＨ）手順を実施するための方法であって、
バンドルされた（bundled）ＲＡＣＨシーケンスを送信することと、
バンドルされた物理下り共有チャネル（ＰＤＳＣＨ）においてＲＡＣＨ応答を受信することと、を備える方法。
［Ｃ２］
前記受信されバンドルされたＰＤＳＣＨに基づいてバンドルされた物理上り共有チャネル（ＰＵＳＣＨ）を送信することをさらに備える、Ｃ１に記載の方法。
［Ｃ３］
前記バンドルされたＰＵＳＣＨのサイズは前記受信されバンドルされたＰＤＳＣＨにおいてシグナリングされる、Ｃ２に記載の方法。
［Ｃ４］
前記バンドルされたＲＡＣＨシーケンスは前記ＵＥのカバレッジ制限を示す、Ｃ１に記載の方法。
［Ｃ５］
前記バンドルされたＲＡＣＨシーケンスは少なくとも１つのリソース・ブロック（ＲＢ）を備える狭帯域送信として送信され、それのロケーションはセルＩＤの関数である、Ｃ１に記載の方法。
［Ｃ６］
前記バンドルされたＲＡＣＨシーケンスはセルＩＤの関数である、Ｃ１に記載の方法。
［Ｃ７］
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、Ｃ１に記載の方法。
［Ｃ８］
前記バンドルされたＰＤＳＣＨのサイズは前記バンドルされたＲＡＣＨシーケンスのサイズに基づく、Ｃ１に記載の方法。
［Ｃ９］
バンドルされた物理下り制御チャネル（ＰＤＣＣＨ）または拡張された(enhanced)ＰＤＣＣＨ（ｅＰＤＣＣＨ）を受信することをさらに備え、ここにおいて、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、Ｃ１に記載の方法。
［Ｃ１０］
前記バンドルされたＰＤＳＣＨの変調および符号化スキーム（ＭＣＳ）はシステム情報ブロック（ＳＩＢ）においてシグナリングされる、Ｃ１に記載の方法。
［Ｃ１１］
前記バンドルされたＰＤＳＣＨは一組のＭＣＳから選択された変調および符号化スキーム（ＭＣＳ）を使用して送信され、前記ＵＥはブラインド復号によって前記ＰＤＳＣＨを検出する、Ｃ１に記載の方法。
［Ｃ１２］
同期信号を受信することと、
前記同期信号に基づいて前記ＲＡＣＨ手順を実施するようにウェーク・アップすることと、をさらに備える、Ｃ１に記載の方法。
［Ｃ１３］
１つ以上の後続メッセージに関わる割当てを示す第２のバンドルされたＰＤＳＣＨを受信することをさらに備える、Ｃ１に記載の方法。
［Ｃ１４］
基地局（ＢＳ）によってランダム・アクセス・チャネル（ＲＡＣＨ）手順を実施するための方法であって、
ユーザ機器（ＵＥ）からバンドルされたＲＡＣＨシーケンスを受信することと、
バンドルされた物理下り共有チャネル（ＰＤＳＣＨ）において前記ＵＥにＲＡＣＨ応答を送信することと、を備える方法。
［Ｃ１５］
前記バンドルされたＰＤＳＣＨに基づいて、前記ＵＥからバンドルされた物理上り共用チャネル（ＰＵＳＣＨ）を受信することをさらに備える、Ｃ１４に記載の方法。
［Ｃ１６］
前記バンドルされたＰＵＳＣＨのサイズは前記バンドルされたＰＤＳＣＨにおいてシグナリングされる、Ｃ１５に記載の方法。
［Ｃ１７］
前記バンドルされたＲＡＣＨシーケンスは前記ＵＥのカバレッジ制限を示す、Ｃ１４に記載の方法。
［Ｃ１８］
前記バンドルされたＲＡＣＨシーケンスは少なくとも１つのリソースブロック（ＲＢ）を備える狭帯域送信として受信され、それのロケーションはセルＩＤの関数である、Ｃ１４に記載の方法。
［Ｃ１９］
前記バンドルされたＲＡＣＨシーケンスはセルＩＤの関数である、Ｃ１４に記載の方法。
［Ｃ２０］
前記バンドルされたＰＤＳＣＨの複数のリソース・ブロック（ＲＢｓ）のロケーションは、前記ＲＡＣＨシーケンスのＲＢのロケーション、前記ＲＡＣＨシーケンス自体、前記バンドルされたＲＡＣＨシーケンスのサイズ、またはセルＩＤ、のうちの少なくとも１つにリンクされる、Ｃ１４に記載の方法。
［Ｃ２１］
前記バンドルされたＰＤＳＣＨのサイズは前記バンドルされたＲＡＣＨシーケンスのサイズに基づく、Ｃ１４に記載の方法。
［Ｃ２２］
バンドルされた物理下り制御チャネル（ＰＤＣＣＨ）または拡張されたＰＤＣＣＨ（ｅＰＤＣＣＨ）を送信することをさらに備え、ここにおいて、前記バンドルされたＰＤＣＣＨまたはｅＰＤＣＣＨは前記バンドルされたＰＤＳＣＨをスケジュールし、前記バンドルされたＰＤＣＣＨまたはｅＰＤＣＣＨのサイズは前記バンドルされたＲＡＣＨシーケンスのサイズに基づく、Ｃ１４に記載の方法。
［Ｃ２３］
前記バンドルされたＰＤＳＣＨの変調および符号化スキーム（ＭＣＳ）はシステム情報ブロック（ＳＩＢ）においてシグナリングされる、Ｃ１４に記載の方法。
［Ｃ２４］
前記バンドルされたＰＤＳＣＨは一組のＭＣＳから選択された変調および符号化スキーム（ＭＣＳ）を使用して送信され、前記ＵＥはブラインド復号によって前記ＰＤＳＣＨを検出する、Ｃ１４に記載の方法。
［Ｃ２５］
同期信号を送信することをさらに備え、ここにおいて、前記ＵＥは前記同期信号に基づいて前記ＲＡＣＨ手順を実施するようにウェーク・アップする、Ｃ１４に記載の方法。
［Ｃ２６］
１つ以上の後続メッセージに関わる割当てを示す第２のバンドルされたＰＤＳＣＨを送信することをさらに備える、Ｃ１４に記載の方法。
［Ｃ２７］
ユーザ機器（ＵＥ）によってランダム・アクセス・チャネル（ＲＡＣＨ）手順を実施するための装置であって、
バンドルされたＲＡＣＨシーケンスを送信するための手段と、
バンドルされた物理下り共有チャネル（ＰＤＳＣＨ）においてＲＡＣＨ応答を受信するための手段と、を備える装置。
［Ｃ２８］
基地局（ＢＳ）によってランダム・アクセス・チャネル（ＲＡＣＨ）手順を実施するための装置であって、
ユーザ機器（ＵＥ）からバンドルされたＲＡＣＨシーケンスを受信するための手段と、
バンドルされた物理下り共有チャネル（ＰＤＳＣＨ）において前記ＵＥにＲＡＣＨ応答を送信するための手段と、を備える装置。